(57)【要約】【課題】従来の撹拌器は手に持ち撹拌物が撹拌されるまでの間、延々と手を振り回さなければならなかった。【解決手段】従来の撹拌器と異なり撹拌器本体を振り回すことなく、一点に固定して取っ手を上下することで撹拌できる様にした撹拌器を提供する。また、その他にオープン型ワイヤーを使用することでより広範囲を撹拌できる。【選択図】図１
2009000480.tif 000002
【特許請求の範囲】
【請求項１】
取っ手と撹拌部からなり取っ手の動きに連動して撹拌部が回転する撹拌器（ホイッパー）。生クリームなどを手を振り回すことなく、取っ手を上下に動かすだけで電源や電池を使わずに容易に撹拌できる、従来型とは全く異なる撹拌器である。また、従来の撹拌器では撹拌器の先端を容器の底に当てて回転させるため撹拌器自体が回転しにくく接触部分が削れる可能性があったが、本体固定用の着脱可能な中心軸を設けることで接触面の摩擦を軽減。この際、中心軸固定部に玉などを使って滑りやすくしたり滑り易い素材を使うとなどして摩擦を減らす工夫をするとよりスムーズな回転を得られる。また、取っ手を上下する際に撹拌器先端が底に当たってつっかえないように撹拌部に柔軟性のある素材を使用するかまたは、取っ手を下まで押した時に撹拌部が底に当たらない寸法にする。
【請求項２】
従来の撹拌器と比べてＵ型ワイヤーとオープン型ワイヤーの混合型は、Ｕ型ワイヤーが少ないため洗浄しやすくまた、数本のオープン型ワイヤーを施すことでより広範囲を撹拌できる様にしたものである。更に、オープン型ワイヤーはストッパーで撹拌部をすぼめることができるので請求項１の撹拌器や従来の撹拌器と同じ様に使用できる。
【請求項３】
撹拌部ワイヤーまたは、内部に保冷・保温材を用いることで保冷・保温効果が得られる。
【請求項４】
本発明の関連として、容器の幅を撹拌器より大きめにして（底面をすり鉢状にし）縦長にすることで撹拌物が１つのところに集まり拡散し難く効率的に撹拌でき、撹拌物が飛散し難い容器を提供する。更に、蓋を付けることでそのまま保存容器として使用できる。
【発明の詳細な説明】
【技術分野】
【０００１】  本発明は、撹拌器に関する。
【背景技術】
【０００２】  従来の撹拌器は手で持ち上げて手を回転させて対象物を撹拌していた。又は、電気や電池式の撹拌器であった。
【特許文献１】
【非特許文献１】
【発明の開示】
【発明が解決しようとする課題】
【０００３】  以上に述べた従来の撹拌器は、対象物が撹拌されるまでの長い間、撹拌器を振り回すので手が疲れ継続するのが難かった。【０００４】  本発明は、この様な従来の構成が有していた問題を解決しようとするものであり、手を振り回したり電源を確保することなく容易且つ、継続的に撹拌できるようにする撹拌器を提供することにある。
【課題を解決するための手段】
【０００５】  上記課題を達成するための第１の課題解決手段は、取っ手と撹拌部とからなり取っ手を上下させて撹拌部を回転させるものであるが、従来と異なる点は中央に撹拌器を固定するための中心軸を施し、撹拌器の使用時にボールなどの容器に本体を固定できるようにしたもので、使用時に本体が安定する。この時、中心軸は撹拌部に固定するよりも、固定しない方が撹拌時に回転しにくいので容器内の接触部分が摩擦しにくい。他には、回転軸の摩擦を減らしてスムーズに回転させるために、着脱部分に玉を嵌めても良い。また、撹拌部上部とからなる取っ手部分は撹拌部が回転すれば溝の有無や螺旋など形状などは問わない。更に、撹拌部は撹拌時により撹拌し易くするために平たくして本体に保冷材や保温材を使用したり、撹拌部内部に保冷材や保温材を入れることで保冷保温効果を得られる。【０００６】  本発明の付随発明として容器の幅を撹拌器より少し大きめにして縦長にしたことで、撹拌する物体が１つのところに集まり拡散し難く効率的に撹拌できる容器を提供する。また、この容器を使用することで使用時に撹拌物が飛び散らない。また、この容器にはメモリを施したり蓋をつけることで保存容器としても使用可能である。【０００７】  また、第１の課題解決手段のその他の実施形態は、内部に螺旋回転突起を付けた取っ手で内部に螺旋回転溝を施した撹拌部を回転させて撹拌するものである。【０００８】  第２の課題解決手段は、上記第１の課題解決手段の撹拌器の撹拌部先端を全てＵ型ワイヤーからオープン型にしたものでありまた、撹拌部のワイヤーの開き具合を変えればより広範囲を撹拌でき且つ、洗浄しやすい。【０００９】  また、第２の課題解決手段のその他の実施形態は、撹拌部のＵ型ワイヤーとオープン型ワイヤーを併せたものである。例えば、撹拌部上部には回転用螺旋部を設けて、取っ手を上下させると撹拌部が取っ手に連動して回転し撹拌部先端にて対象物を撹拌するが、従来の撹拌器と比較して一度により広範囲を撹拌できる上に、オープン型とＵ型の混合型の為ワイヤーが邪魔せず洗浄も容易である。【００１０】  更に、ストッパーとしてリングなどの留め具をオープン型ワイヤー上部（を曲げて作ったへこみなど）に固定または、その他に滑り難い材質を使用したり凹凸を施してストッパーを固定するなど。また、本体に記憶合金を使用すれば変形しても復元可能である。【００１１】  また第３の課題解決手段は、撹拌部に複数のワイヤーを使用するのではなく、中心軸用穴を施した一体型撹拌器である。【００１２】  上記の課題解決手段による作用は次の通りである。本発明品を使用することで手を振り回さずに容易に撹拌できる。また、Ｕ型ワイヤーを減らした事で洗浄しやすく他形状のワイヤーを施したことでより広範囲を撹拌できる様になる。【００１３】  また、中心軸は着脱可能なのでオープン型も撹拌部をストッパーですぼめて従来の撹拌器（ホイッパー）同様に使用できる。
【発明の効果】
【００１４】  以上に詳述した様に本発明の実施形態の撹拌器は、撹拌時の疲労を軽減し撹拌という反復作業を容易に継続することができる。【００１５】  また、本発明の撹拌器は従来のものと異なり本体を中心軸で支えることで本体を安定させることができる。更に、Ｕ型ワイヤーを少なくすることで本体の洗浄が容易になりまた、ストッパーで撹拌部をすぼめることができるので、従来の撹拌器（ホイッパー）同様に使用できる。
【発明の実施をするための最良の形態】
【００１６】以下、本発明の実施の形態を図１〜図７に基づいて説明する。
【００１７】  図においては、１Ａ、１Ｂ、１Ｃ、１Ｄ、１Ｅは本発明の撹拌器本体で、取っ手２、螺旋回転溝３ａ、ｂ、螺旋回転突起４ａ、ｂ、バネ５ａ、ｂ、中心軸６、撹拌部７、Ｕ型撹拌部８、オープン型撹拌部９、撹拌部上部１０、撹拌部先端１１、ストッパー１２、ストッパー留め用窪み１３、軸用中心穴１４とからなる。
【００１８】  以下、上記構成を説明する。本発明の撹拌器１Ａは、内部に回転用の螺旋回転溝３ａを施した取っ手２に螺旋回転突起４ａが施された撹拌部７に中心軸６を設けて、取っ手２を上下して撹拌部７を回転させる。１Ｂは、内部に螺旋回転突起４ｂを付けた取っ手２で撹拌部７上部内側に螺旋回転溝３ｂを施して撹拌部７を回転させて撹拌するものである。１Ｃは、撹拌部全てをオープン型撹拌部９にしたもので、この時１Ｃ、１Ｄ共にストッパー１２を設けて撹拌部をすぼめることが出来る。この場合、ストッパー１２は撹拌部本体に凹凸を施して留めたり滑り止めを施して留めても良いが、１Ｄの様にワイヤーにストッパー留め用窪み１３を施すのが容易である。ストッパー１２を留めると撹拌部７先端がすぼまり、従来の撹拌器（ホイッパー）同様に使用することができる。１Ｅは、他の実施形態とは異なりワイヤーを加工したものではなく、撹拌部７をプラスティックや樹脂など他の素材を使って一体型にして軸用中心穴１４を施したものである。
【図面の簡単な説明】
【００１９】
【図１】本発明の第１の実施形態を示す撹拌器の正面断面図
【図２】本発明の第１のその他の実施形態を示す撹拌器の正面断面図
【図３】本発明の第２の実施形態を示す撹拌器の正面断面図
【図４】本発明の第２のストッパー付き撹拌部の正面図
【図５】本発明の第２のストッパー付き撹拌部の使用時の正面図
【図６】本発明の第３の実施形態を示す撹拌部の正面図
【図７】本発明の第３の実施形態を示す撹拌部の底図
【符号の説明】
【００２０】１Ａ、１Ｂ、１Ｃ、１Ｄ、１Ｅ  撹拌器本体        ８        Ｕ型撹拌部
２          取っ手                              ９        オープン型撹拌部
３ａ、ｂ    螺旋回転溝                        １０        撹拌部上部
４ａ、ｂ    螺旋回転突起                      １１        撹拌部先端
５ａ、ｂ    バネ                              １２        ストッパー
６          中心軸                            １３        ストッパー留め用窪み
７          撹拌部                            １４        軸用中心穴
【図１】
2009000480.tif 000003
【図２】
2009000480.tif 000004
【図３】
2009000480.tif 000005
【図４】
2009000480.tif 000006
【図５】
2009000480.tif 000007
【図６】
2009000480.tif 000008
【図７】
2009000480.tif 000009
【手続補正書】
【提出日】平成19年7月28日(2007.7.28)
【手続補正１】
【補正対象書類名】特許請求の範囲
【補正対象項目名】請求項１
【補正方法】変更
【補正の内容】
【請求項１】
ワイヤーやプラスティックなどを捻るなどして螺旋状に成形した撹拌部（軸）を取っ手の動きに合わせて回転するようにした撹拌器（ホイッパー）である。
【手続補正２】
【補正対象書類名】特許請求の範囲
【補正対象項目名】請求項２
【補正方法】変更
【補正の内容】
【請求項２】
取っ手と撹拌部からなり取っ手と撹拌部上部に螺旋状の凹凸を施して、取っ手の動きに連動して撹拌部が回転する様にした撹拌器（ホイッパー）である。生クリームなどを手を振り回すことなく、取っ手を上下に動かすだけで電気や電池を使わずに容易に撹拌できる従来型とは全く異なる撹拌器である。また、従来の撹拌器では撹拌器の先端を容器の底に当てて回転させるため撹拌時に力が掛かり回転しにくく扱いにくい上に接触部分が削れる可能性があったが、本発明は本体固定用の着脱可能な中心軸（支柱）を設けることで接触面の摩擦が軽減される。更に、中心軸固定部に玉などを使って滑りやすくしたり滑り易い素材を使うなどして摩擦を減らす工夫をするとによりスムーズな回転を得られる他、中心軸上部及び、撹拌部上部内側に螺旋状突起を施して撹拌部を回転させても良い。また、取っ手を上下する際に撹拌器先端が底に当たってつかえないように、撹拌部（Ｕ型、オープン型）に柔軟性のある素材を使用するかまたは、取っ手を下まで押した時に撹拌部（Ｕ型、オープン型）が底に当たらない寸法にする。